(57)【要約】【課題】カラーフィルタの形成時にピンホール等に起因する、液晶表示パネルの表示面の不具合を防止する。【解決手段】反射膜１３の形成に、透明なネガ型レジスト材を使用する。そして、反射膜１３を形成後にこのネガ型レジスト材を剥離せずに、そのまま絶縁膜１４として使用する。これにより、その後に形成するカラーフィルタ１６にピンホール１６ａが発生し、さらにその後に形成する照明手段側透明電極１７が、そのピンホール１６ａに入り込んでも、その入り込みが絶縁膜１４で遮られ、照明手段側透明電極１７と反射膜１３とは接触しない。この結果、照明手段側透明電極１７から反射膜１３への電流のリークが防止され、液晶表示パネル１００の表示面１１２の不具合を防止できる。【選択図】      図３
2004354950.tif 000002
【特許請求の範囲】
【請求項１】
透過表示部と反射表示部を有する電気光学装置用基板において、
前記透過表示部は、カラーフィルタ上に透明電極が設けられてなり、
前記反射表示部は、反射膜上に絶縁膜を介して前記カラーフィルタが形成され、且つ、前記カラーフィルタ上に保護膜を介して前記透明電極が設けられてなることを特徴とする電気光学装置用基板。
【請求項２】
前記反射表示部が前記透過表示部と隣接してなる端部には前記保護膜は設けられていないことを特徴とする請求項１に記載の電気光学装置用基板。
【請求項３】
前記絶縁膜は、前記透過表示部には設けられていないことを特徴とする請求項１又は２に記載の電気光学装置用基板。
【請求項４】
前記絶縁膜は、前記反射表示部の反射膜上のみに設けられてなることを特徴とする請求項１又は２に記載の電気光学装置用基板。
【請求項５】
前記絶縁膜は、前記反射膜の形成時のレジスト材であることを特徴とする請求項１乃至４のいずれか１項に記載の電気光学装置用基板。
【請求項６】
前記カラーフィルタは、前記透過表示部の部分と前記反射表示部の部分とでは、前記反射表示部の部分の方が前記透過表示部の部分よりも、表面が高くなるように段差が設けられてなることを特徴とする請求項１乃至５のいずれか１項に記載の電気光学装置用基板。
【請求項７】
前記絶縁膜は、カラーフィルタの上面全体若しくは下面全体に設けられてなることを特徴とする請求項１乃至６のいずれか１項に記載の電気光学装置用基板。
【請求項８】
一対の基板間に設けられてなる一対の配向膜を有し、さらに、その配向膜間に液晶が封入されてなる液晶層を有し、
一対の基板のうちの片方の基板は、請求項１乃至７のいずれかに記載の電気光学装置用基板であり、前記液晶層の反対側の面には、液晶層を照射する照明手段が設けられてなり、前記配向膜は、前記透明電極上に設けられてなることを特徴とする電気光学装置。
【請求項９】
請求項８に記載の電気光学装置を備えたことを特徴とする電子機器。
【請求項１０】
透過表示部と反射表示部を有する電気光学装置用基板の製造方法において、
カラーフィルタ上に透明電極を積層することによって前記透過表示部を形成し、
前記反射表示部は、反射膜上に絶縁膜、前記カラーフィルタ、保護膜、前記透明電極を積層することによって前記反射表示部を形成することを特徴とする電気光学装置用基板の製造方法。
【請求項１１】
請求項１０に記載の電気光学装置用基板の製造方法を用いたことを特徴とする電気光学装置の製造方法。
【発明の詳細な説明】
【０００１】
【発明の属する技術分野】
この発明は、電気光学装置用基板に係るものである。特に、この発明は、製造時に瑕疵が生じた場合でも、製品として何ら不具合の生じない電気光学装置用基板、電気光学装置、電子機器、及び、電気光学装置用基板の製造方法、並びに、電気光学装置の製造方法に関するものである。
【０００２】
【従来の技術】
電気光学装置及び電子機器では、軽量さ、薄さ、低消費電力等の利点により、情報の表示手段として電気光学装置の一種である液晶表示パネルが多用されている。従来のこの液晶表示パネルは、１組の基板間に１組の配向膜を設けている。そして、その間に液晶を封入することにより、液晶が所定の向きに並んだ液晶層を形成している。また、各配向膜の液晶層の反対側の面に透明電極を形成し、この透明電極を通して液晶層に流す電流を制御することにより、液晶層内の液晶の方向を変化させ、情報を表示している。この情報の認識方法は、液晶層の表示面から液晶層内に入射した光を液晶層の奥にある反射膜で反射させ、この反射した光が再び液晶層、及びその表示面を通って外部に出て、この光を目視することにより、表示面の画像等の情報を認識している。しかし、このタイプの液晶表示パネルは、外部からの光を反射することにより表示面の情報を認識できるようになっているため、屋内など外部が暗い環境では表示面の情報を認識するのが困難であった。
【０００３】
そこで、そのような場合でも表示面の情報を視認できるよう、液晶層を表示面側の反対側から照明手段で照射し、液晶層及び表示面を通ったこの光を目視することによる、暗い環境でも表示面が見易いタイプの液晶表示パネルも多くなった。しかし、このタイプでは照明手段で照射して表示面から出た光よりも外部の方が明るい場合は、表示面が見にくくなることもある。そのため、反射膜を間隔を開けて設ける、又は反射膜に穴を開ける等をして、照明手段からの光を液晶層に透過させる透過部を反射膜に設け、その部分を透過表示部として照明手段からの光を利用するとともに、反射膜による反射を利用する反射表示部を設けることにより、照明手段と反射膜とを併用しているものもある。
【０００４】
しかし、この場合、外部からの光を反射する場合は液晶層を往復するのに対し、照明手段で照射した光は１度しか液晶層を通過しない。このため、外部からの光は減衰してしまうので、照明手段からの光の方が明るくなり、表示面の画像等が、外部の光を反射した部分と照明手段で照射した部分とで差が出るという問題があった。そこで、その問題を解決するために、透過表示部、即ち、反射膜が無い部分の保護膜に凹部を設け、その部分の液晶層の厚さを、反射表示部、即ち、外部の光を反射する部分の液晶層の厚さよりも厚くすることにより解決している（例えば、特許文献１参照）。なお、この場合は、配向膜の液晶層の反対側に形成された透明電極にも凹部を設けるが、透明電極に鋭角の角部を設けると断線等の不具合が生じる。これを防止するために、凹部の底部よりも開口部の方が広くなるように、この凹部が有する一対の側壁を、底部から開口部にかけて広がったテーパー状となって形成されたテーパー部とする。これにより、このテーパー部と底部、及びテーパー部と透明樹脂の上面とで形成する角部が全て鈍角となり、透明電極の断線等の不具合を防止している。
【０００５】
【特許文献１】
特開２００１−２２１９９５号公報（第５−７頁、第１−２図）
【０００６】
図１０は、従来の電気光学装置用基板の一例を示す断面図である。また、近年の液晶表示パネルは表示内容の多様化に伴い、カラー表示が出来るものが多い。これは、透明電極５と前記の反射膜２若しくは照明手段との間に、カラーフィルタ３を設け、反射膜２で反射した光、若しくは照明手段からの照射光に色を付けることにより、カラー表示をしている。このカラー表示が可能な液晶表示パネルでも性能を高めるために、前記のように反射膜２と照明手段とを併用し、それに伴い液晶層の厚さを変えるために保護膜７に凹部を形成している。この場合、透明電極凹部６の底部６ｂはカラーフィルタ３と接し、それ以外の部分の透明電極５若しくは配向膜とカラーフィルタ３との間には、保護膜７が設けられている。
【０００７】
さらに近年では、安定した表示面の視認を求めるべく、反射膜２で反射した光よりも、照明手段で照射し液晶層を透過した光による視認を優先させたものも多い。ここで、透明電極凹部６のテーパー部６ｃは、反射膜２での光の反射、及び照明手段で照射した光のどちらの光も、効率よく液晶層に反射若しくは照射できない部分である。そのため、前記のように照明手段で照射し液晶層を透過した光による視認を優先させるために、透明電極凹部６の底部６ｂは透過表示部８上に設け、さらに、透過表示部８の幅よりも底部６ｂの幅の方を大きくし、テーパー部６ｃは反射表示部９上に位置するようにしてある。これにより、照明手段からの光は透明電極凹部６の底部６ｂからのみ液晶層を透過するので、照明手段からの光を優先して使用でき、安定した表示面の安定した視認を得ることができる。
【０００８】
【発明が解決しようとする課題】
しかし、上記液晶表示パネルでは、透明電極凹部６の底部６ｂの幅を透過表示部８の幅よりも広くしてあるため、底部６ｂとテーパー部６ｃとで形成される角部６ｄである接続部６ｅが、反射表示部９にかかっている。また、カラーフィルタ３の一方の面には、この透明電極凹部６の底部６ｂが接し、カラーフィルタ３の他方の面には反射膜２が接している。当該液晶表示パネルの製造は、スパッタ、エッチング等を繰り返しながら照明手段のある側の基板１から順に形成するため、これらの透明電極５、カラーフィルタ３及び反射膜２は、反射膜２、カラーフィルタ３、透明電極５の順に形成されている。
【０００９】
また、カラーフィルタ３は、その形成時に微小なピンホール４等が生じる可能性がある。この場合、ピンホール４が生じる部分が、保護膜７がある部分であれば、このピンホール４内に保護膜７を形成する材料が入りこむだけで、特に他の部分には影響は無い。しかしピンホール４が、接続部６ｅ付近の透明電極凹部６と反射膜２との間カラーフィルタ３に発生した場合は、カラーフィルタ３の後に形成する透明電極５の材料が、そのピンホール４に入り込んでしまう。このために、このピンホール４を通じて透明電極５と反射膜２とが接触してしまうという不具合があった。反射膜２はアルミ等の金属で形成されているため、透明電極５と反射膜２とが接触していると、液晶を制御するために透明電極５に電気を流した際に、その電気が反射膜２にも流れてしまい、液晶層にうまく電圧がかからず、線欠陥等の表示不良が生じることがあった。
【００１０】
そこで、この発明は、上記に鑑みてなされたものであって、電気光学装置用基板の形成時にピンホール等が生じても、電気光学装置や電子機器の使用には何ら問題を生じさせることのない電気光学装置用基板、電気光学装置、電子機器、及び、電気光学装置用基板の製造方法、並びに、電気光学装置の製造方法を提供することを目的とする。
【００１１】
【課題を解決するための手段】
上述の目的を達成するために、この発明係る電気光学装置用基板は、透過表示部と反射表示部を有する電気光学装置用基板において、前記透過表示部は、カラーフィルタ上に透明電極が設けられてなり、前記反射表示部は、反射膜上に絶縁膜を介して前記カラーフィルタが形成され、且つ、前記カラーフィルタ上に保護膜を介して前記透明電極が設けられてなることを特徴とする。
【００１２】
この電気光学装置用基板においては、反射表示部の透明電極と反射膜との間にはカラーフィルタが形成されている。さらに、反射表示部の反射膜と透明電極との間には、絶縁膜が形成されている。また、この電気光学装置用基板の形成方法は、スパッタやエッチング等を繰り返すことにより、反射膜を形成後に絶縁膜やカラーフィルタ、透明電極を形成している。従って、絶縁膜がカラーフィルタと反射膜との間にあるので、カラーフィルタの形成時に微小なピンホール等が発生した場合に、カラーフィルタの形成後に形成する透明電極がピンホールに入り込んでも、その透明電極は絶縁膜に遮られ、反射膜に接触することはない。これにより、透明電極に通電しても、反射膜にリークすることは無くなる。この結果、カラーフィルタの形成時にピンホール等の不具合が生じても、透明電極へ流された電気は、予め設定されている回路以外に流れることは無く、使用時には何ら問題なく使用をすることができる。
【００１３】
また、次の発明に係る電気光学装置用基板は、前記反射表示部が前記透過表示部と隣接してなる端部には前記保護膜は設けられていないことを特徴とする。
【００１４】
この電気光学装置用基板においては、保護膜は全て反射表示部の範囲内に設けられている。前記透明電極は、保護膜が形成する透過表示部の凹部の形状に合わせて当該透明電極も凹部を形成しているが、透明電極の凹部は、当該凹部の角部での断線を防止するために、凹部の側壁をテーパー状に形成し、角部を鈍角にして形成している。しかし、透明電極の凹部の側壁は、このようにテーパー状に形成されているため、光を通しにくくなっている。前記のように保護膜の全ての部分を反射表示部の範囲内に設けることにより、前記透明電極の凹部の側壁も反射表示部の範囲内に設けられることになる。従って、透過表示部を透過する光は、光を通し易い部分のみ通過するので、透過表示部での視認性が向上する。この結果、外部の明るさに影響されにくく、視認性の安定した電気光学装置用基板とすることができる。
【００１５】
また、次の発明に係る電気光学装置用基板は、前記絶縁膜は、前記透過表示部には設けられていないことを特徴とする。
【００１６】
この電気光学装置用基板においては、透過表示部には絶縁膜を設けないので、光の着色や、外部への発光に必要な部分以外の部分を減少させることができる。この結果、カラーフィルタの厚みを確保することができるので、光の着色性が向上し、鮮やかな視認性を得ることができる。また、光の着色や、外部への発光に必要な部分以外へ透過が無くなるので、光の透過率が向上し、その向上に伴い、この光の光源の電気消費量を低減させることができる。
【００１７】
また、次の発明に係る電気光学装置用基板は、前記絶縁膜は、前記反射表示部の反射膜上のみに設けられてなることを特徴とする。
【００１８】
この電気光学装置用基板においては、絶縁膜は反射表示部の反射膜上のみに形成されているので、絶縁膜をフォトレジストで形成する際のフォトマスクを、反射膜と同一のものを使用、またはフォトマスクのパターンを同一の形状とすることができる。この結果、反射膜用のフォトマスクと同一のフォトマスクを使用する場合は、フォトマスクの製造に要するコストを抑えることができる。また、フォトマスクを同一の形状とする場合でも、絶縁膜用として新にフォトマスクのパターンを設計する必要が無く、同様にフォトマスクの製造に要するコストを抑えることができる。
【００１９】
また、次の発明に係る電気光学装置用基板は、前記絶縁膜は、前記反射膜の形成時のレジスト材であることを特徴とする。
【００２０】
この電気光学装置用基板においては、絶縁膜に、反射膜を形成する時に使用するレジスト材を、そのまま使用している。つまり、反射膜をフォトレジストにより形成する際に、紫外線等の感光により現像液に対して不溶性等に変質するタイプの、透明なネガ型レジスト材を使用する。これにより、レジスト材の変質後、現像液で現像して不要のレジスト材を除去し、エッチングでレジスト材が形成されていない部分の反射膜を除去することにより、反射膜と絶縁膜とを形成できる。即ち、反射膜の製造の一連の工程を行うことにより、反射膜が形成されると共に、絶縁膜も形成される。この結果、新たに絶縁膜を形成する工程を設ける必要が無く、絶縁膜を有する電気光学装置用基板を容易に製作することができる。
【００２１】
また、次の発明に係る電気光学装置用基板は、前記カラーフィルタは、前記透過表示部の部分と前記反射表示部の部分とでは、前記反射表示部の部分の方が前記透過表示部の部分よりも、表面が高くなるように段差が設けられてなることを特徴とする。
【００２２】
この電気光学装置用基板においては、カラーフィルタが、反射表示部の部分の方が透過表示部の部分よりも表面が高くように段差を付けて形成されている。従って、絶縁膜を反射膜上に形成することに起因して、薄くなり得るカラーフィルタのその部分が厚さを、反射表示部の部分のカラーフィルタ、即ち、絶縁膜上のカラーフィルタを高くすることにより補うことができる。この結果、反射膜で反射した光に色を付ける部分のカラーフィルタの厚さが薄くならないため、絶縁膜を形成したことにより、反射膜で反射する部分の光の色が薄くなるのを防止できる。
【００２３】
また、次の発明に係る電気光学装置用基板は、前記絶縁膜は、カラーフィルタの上面全体若しくは下面全体に設けられてなることを特徴とする。
【００２４】
この電気光学装置用基板においては、絶縁膜がカラーフィルタの上面全体若しくは下面全体に形成されている。絶縁膜をカラーフィルタの上面全体に形成した場合は、絶縁膜のさらに上面にある透明電極が、他の導体と接触するのを防止できる。従って、カラーフィルタにピンホール等が発生しても、透明電極に影響することは無い。また、反射膜の上部のカラーフィルタにピンホールが発生しても、ピンホールの中に入り込むのは絶縁膜であるため、透明電極の電気的な作用に影響を与えることは無い。また、絶縁膜をカラーフィルタの下面全体に形成した場合は、カラーフィルタの下面のどの部分も、さらにその下方とは遮断されている。これにより、カラーフィルタにピンホール等が発生しても、カラーフィルタの上方にある透明電極と、絶縁膜の下方にある反射膜との接触を確実に防止する事ができる。またカラーフィルタの、どの部分にピンホール等が発生しても、ピンホールに入った透明電極を絶縁膜で食い止めることができる。また、カラーフィルタの上面全体若しくは下面全体に絶縁膜を形成するので、絶縁膜に複雑なパターンを形成する必要がないため、絶縁膜の形成用のマスクを容易に作成でき、コストを抑えることができる。
【００２５】
また、次の発明に係る電気光学装置は、一対の基板間に設けられてなる一対の配向膜を有し、さらに、その配向膜間に液晶が封入されてなる液晶層を有し、一対の基板のうちの片方の基板は、請求項１乃至７のいずれかに記載の電気光学装置用基板であり、前記液晶層の反対側の面には、液晶層を照射する照明手段が設けられてなり、前記配向膜は、前記透明電極上に設けられてなることを特徴とする。
【００２６】
この電気光学装置においては、液晶層を形成する一対の配向膜のうちの片方の配向膜の、液晶層の反対側に、前記電気光学装置用基板が設けられている。従って、カラーフィルタにピンホール等の欠陥が生じても、透明電極と反射膜との間に設けられた絶縁膜により、透明電極と反射膜とが導通することは無く、問題無く使用できる。この結果、製造時に些細な瑕疵が生じても、正常に作動する液晶表示パネルとすることができる。また、これにより製造時の不良率を下げ、利益率の上昇若しくはコストの低下を得ることができる。
【００２７】
また、次の発明に係る電子機器は、上記の電気光学装置を備えたことを特徴とする。このため、カラーフィルタに些細なピンホール等の些細な瑕疵が生じても、それに起因して電気光学装置用基板の表示不良等の動作不良を起こすことも無く、高品質な電子機器を得ることができる。また、前記のような瑕疵では不良品にはならずに確実に作動をするため、製造時の不良率を低下させることができ、利益率の上昇若しくはコストの低下を得ることができる。
【００２８】
また、次の発明に係る電気光学装置用基板の製造方法は、透過表示部と反射表示部を有する電気光学装置用基板の製造方法において、カラーフィルタ上に透明電極を積層することによって前記透過表示部を形成し、前記反射表示部は、反射膜上に絶縁膜、前記カラーフィルタ、保護膜、前記透明電極を積層することによって前記反射表示部を形成することを特徴とする。
【００２９】
この電気光学装置用基板の製造方法においては、反射表示部を、反射膜上に絶縁膜、カラーフィルタ、保護膜及び透明電極を積層することによって製造している。この製造方法は、スパッタやエッチング等を繰り返すことにより、反射膜上に絶縁膜やカラーフィルタ、透明電極を形成している。従って、絶縁膜がカラーフィルタと反射膜との間にあるので、カラーフィルタの形成時に微小なピンホール等が発生した場合に、カラーフィルタの形成後に形成する透明電極がピンホールに入り込んでも、その透明電極は絶縁膜に遮られ、反射膜に接触することはない。これにより、透明電極に通電しても、反射膜にリークすることは無くなる。この結果、カラーフィルタの形成時にピンホール等の不具合が生じても、透明電極へ流された電気は、予め設定されている回路以外に流れることは無く、使用時には何ら問題なく使用をすることができる。
【００３０】
また、次の発明に係る電気光学装置の製造方法は、上記の電気光学装置用基板の製造方法を用いたことを特徴とする。このため、カラーフィルタに些細なピンホール等の些細な瑕疵が生じても、それに起因して電気光学装置用基板の表示不良等の動作不良を起こすことも無く、高品質な電気光学装置を得ることができる。また、前記のような瑕疵では不良品にはならずに確実に作動をするため、製造時の不良率を低下させることができ、利益率の上昇若しくはコストの低下を得ることができる。
【００３１】
【発明の実施の形態】
以下、この発明につき図面を参照しつつ詳細に説明する。なお、この実施の形態によりこの発明が限定されるものではない。また、下記実施の形態における構成要素には、当業者が容易に想定できるもの或いは実質的に同一のものが含まれる。なお、以下の説明は、本発明に係る電気光学装置の一例として液晶表示パネルを説明する。
【００３２】
（実施の形態１）
図１は実施の形態１に係る電気光学装置用基板を備える液晶表示パネルの構造示す一部断面図である。図２は、図１のＡ部詳細図（電気光学装置用基板断面図）である。図３は、図２に示した電気光学装置用基板にピンホールが生じた図である。この電気光学装置用基板１０を備える液晶表示パネル１００は、透明で平坦なガラス等から成る２枚の基板、表示面側基板１０１と照明手段側基板１１との間に１組の配向膜１０３を有している。さらに、その配向膜１０３間に液晶を封入し、液晶層１０７を形成している。なお、図示は省略してあるが、この配向膜１０３間は複数のスペーサーによって所定の隙間が維持されており、配向膜１０３の周囲に設けられたシール材によって配向膜１０３間を密閉することにより、その部分に液晶層１０７が形成している。また、それぞれの配向膜１０３の液晶層１０７側には、それぞれ一定方向に溝が形成されており、液晶分子を所定の向きに揃えている。
【００３３】
表示面側基板１０１の内側には、前記の１組の配向膜１０３の一方である表示面側配向膜１０４が設けられ、その間には表示面側透明電極１０２が形成されている。また、表示面側基板１０１の外側、つまり、表示面１１２側には表示面側位相差板１１０が設けられ、さらにその外側には、表示面側偏光板１０８が設けられている。照明手段側基板１１の内側には前記の１組の配向膜１０３のもう一方である照明手段側配向膜１０５が形成されている。この照明手段側配向膜１０５と照射手段側基板１１との間には、照明手段側透明電極１７、保護膜１９、カラーフィルタ１６、遮光層１５、反射膜１３及び散乱層１２とが設けられている。また、照明手段側基板１１の外側、つまり、照明手段側には照明手段側位相差板１１１が設けられ、さらにその外側には、照明手段側偏光板１０９が設けられている。また、照明手段側基板１１と、照明手段側基板１１の液晶層１０７側の面に設けられている散乱層１２とは、基板部として形成されており、電気光学装置用基板１０を形成する基礎の部分となっている。
【００３４】
照明手段は、照明手段側偏光板１０９の、液晶層１０７側の面の反対側に設けられ、照明手段としてバックライト２５が備えられている。バックライト２５は、集光部２５１と導光部２５２とから形成されている。集光部２５２は、蛍光ランプ２５１ａと、内側にリフレクタ２５１ｃを有するランプホルダ２５１ｂから形成されている。導光部２５２は、矩形で所定の厚さを有する導光体２５２、導光体２５２の一方の面に設けてある反射シート２５２ｂ、及び導光体２５２の他方の面に設けてある拡散シート２５２ｃから形成されている。集光部２５１は、集光部２５１の蛍光ランプ２５１ａが、導光体２５２ａの一つの辺の近傍に、当該辺とほぼ平行になるように設けられることによって形成されている。集光部２５１のランプホルダ２５１ｂは、その内側に有するリフレクタ２５１ｃで、蛍光ランプ２５１ａの光を導光体２５２ａに向けて反射できる様に設けられている。このバックライト２５が、導光部２５２の拡散シート２５２ｃが照明手段側基板１１に面する向きに、導光体２５２ａと照明手段側基板１１とがほぼ平行になるように設けられている。
【００３５】
なお、上記のバックライト２５はサイドライト式バックライトであるが、複数の蛍光ランプ２５１ａを照明手段側基板１１とほぼ平行に並べて形成する直下方式バックライトや、その他の形式を使用してもよい。さらに、蛍光ランプ２５１ａ変わりに発光ダイオードや、有機ＥＬなどを用いても構わない。所定の光量で液晶層を照らせる方法なら、その形状や方法、形式は問わない。
【００３６】
散乱層１２は、照明手段側基板１１の液晶層１０７側の面に形成されている。この散乱層１２は、アクリル樹脂等の透明な樹脂から形成されている。この散乱層１２の照明手段側基板１１側の面は、照明手段側基板１１に沿って平面となっており、液晶層１０７側の面には散乱面１２ａが形成されている。散乱面１２ａは、凹凸が所定のパターンで連続して設けられた面となっている。なお、この散乱面１２ａの凹凸は、円錐、角錐、その他の形状またはランダム形状でもよい。また、その配列パターンは、一定のパターンでも、ランダムに形成しているパターンでもよい。
【００３７】
反射膜１３は、散乱層１２の散乱面１２ａ側に設けられている。この反射膜１３は、アルミなど、光を反射させることの出来る物質から形成されている。また、この反射膜１３は、所定の孔を開けて、若しくは複数の反射膜が間隔を開けて設けられた反射膜透過部１３ｂが形成されている。さらに、反射膜１３の、散乱層１２の反対側の面には、反射面１３ａが設けられている。この反射面１３ａは、凹凸が所定のパターンで連続して設けられた面となっている。なお、この反射面１３ａの凹凸は、円錐、角錐、その他の形状またはランダム形状でもよい。また、その配列パターンは、一定のパターンでも、ランダムに形成しているパターンでもよい。
【００３８】
絶縁膜１４は、反射膜１３の反射面１３ａ側に形成されている。この絶縁膜１４は、反射膜１３がある部分のみに形成されており、反射膜１３と同じ形状で、つまり、反射膜１３と同様に絶縁膜透過部１４ａを形成して設けられている。この絶縁膜１４は、透明な樹脂、例えばアクリル樹脂等により形成されており、その厚さは、アクリル樹脂であれば５０００〜１００００Å程度が好ましい。
【００３９】
遮光層１５は、絶縁膜１４の、反射膜１３の反対側の面に設けられている。この遮光層１５は、各ドットの境界部に設けられており、ドットの境界に合わせてパターン化した形状で形成されている。遮光層１５は、カラーフィルタ１６と同じ材料で形成されており、各色（赤、緑、青）が重ねられることにより形成されている。なお、この遮光層１５はカラーフィルタ１６と同じ材料を使用して色を黒一色としてもよく、また、金属膜等から形成してもよく、光を通さない材料ならば、いずれのものを使用しても構わない。
【００４０】
カラーフィルタ１６は、散乱層１２の散乱面１２ａ側に形成されている。このカラーフィルタ１６は、反射膜透過部１３ｂと絶縁膜透過部１４ａによって露出した部分の散乱層１２上と、反射膜１３及び絶縁膜１４を覆うように形成されている。さらにこのカラーフィルタ１６は、絶縁膜１４上のカラーフィルタ１６の方が、散乱層１２上のカラーフィルタ１６に対して、液晶層１０７側に高くなった段差を付けて形成されている。また、絶縁膜１４上のカラーフィルタ１６の厚さは、絶縁膜１４上に有する遮光層１５よりも薄いため、当該カラーフィルタ１６は、各遮光層１５に囲まれた範囲にのみ設けられている。これにより遮光層１５は、カラーフィルタ１６に対して、液晶層１０７方向に飛び出して形成されている。この前記の各範囲のカラーフィルタ１６は、それぞれが各ドットの光を着色するフィルタとなっており、表示するドットによって、赤（Ｒ）、緑（Ｇ）、青（Ｂ）のいずれかの色に着色された有色透明のフィルタとして形成されている。この各色のカラーフィルタ１６の境界に、前記遮光層１５は設けられている。
【００４１】
なお、カラーフィルタ１６の各色の配列は、同じ色を縦に並べる縦ストライプ、各色を表示画面上の次の行で半ドット分ずらしたデルタ配列、１ドット分ずつずらしたモザイク配列など、いずれの配列としてもよい。また、カラーフィルタ１６の、散乱層１２、反射膜１３及び絶縁膜１４側の面は、散乱面１２ａ、反射膜１３及び絶縁膜１４に沿って形成されている。
【００４２】
透明電極は、表示面側透明電極１０２、照明手段側透明電極１７共にＩＴＯ（Ｉｎｄｉｕｍ  Ｔｉｎ  Ｏｘｉｄｅ：酸化インジウムスズ）導電膜等により形成されている。また、照明手段側透明電極１７は、照明手段側に凸となって形成する透明電極凹部１８が、複数形成されている。この透明電極凹部１８は、その凹部が有する一対の側壁が、双方の間隔が開口部１８ａの位置よりも底部１８ｂの位置の方が狭くなるようにテーパー状に形成された、テーパー部１８ｃとなっている。これにより、凹部を形成する四箇所の角部１８ｄは、全て鈍角となって形成されている。さらに、この角部１８ｄのうち、テーパー部１８ｃと底部１８ｂとで形成される角部１８ｄは、接続部１８ｅとして形成されている。また、照明手段側透明電極１７は、透明電極凹部１８の底部１８ｂが、カラーフィルタ１６の散乱層１２側の面の反対側の面に接して設けられている。さらに、この底部１８ｂは、前記反射膜透過部１３ｂ及び絶縁膜透過部１４ａよりも幅が広く形成されている。この底部１８ｂを反射膜透過部１３ｂ側から見た場合、反射膜透過部１３ｂが完全に底部１８ｂ内に収まる関係、つまり、接続部１８ｅが反射膜１３と重なる位置に、透明電極凹部１８は設けられている。
【００４３】
保護膜１９は、照明手段側透明電極１７の照明手段側の面で、透明電極凹部１８が無い部分に設けられている。また、この保護膜１９は、照明手段側透明電極１７の透明電極凹部１８以外の部分と、カラーフィルタ１６及び絶縁膜１４との間に設けられている。このため、保護膜１９は、照明手段側透明電極１７、カラーフィルタ１６及び絶縁膜１４に沿った形状となって形成している。また、この保護膜１９は、透明な樹脂材料から形成されており、アクリル樹脂、エポキシ樹脂、ポリイミド樹脂、シリコーン樹脂等により形成されている。
【００４４】
上記のように、本発明の電気光学装置用基板１０は、上記の照明手段側基板１１と散乱層１２とから形成される基板部、反射膜１３、絶縁膜１４、遮光層１５、カラーフィルタ１６、保護膜１９及び照明手段側透明電極１７から形成されている。また、反射膜透過部１３ｂ及び絶縁膜透過部１４ａが形成されている部分に上下方向に積層された、基板部、カラーフィルタ１６及び照明手段側透明電極１７は、透過表示部２０として形成されている。さらに、反射膜１３が形成されている部分に上下方向に積層された、基板部、反射膜１３、絶縁膜１４、遮光層１５、カラーフィルタ１６、保護膜１９及び照明手段側透明電極１７は、反射表示部２１として形成されている。また、当該液晶表示パネル１００は液晶層１０７に２つ以上の異なる厚さを形成するため、照明手段側配向膜１０５に、照明手段側に凸となった保護膜凹部１０６を複数形成している。照明手段側配向膜１０５の保護膜凹部１０６以外の部分は、表示面側配向膜１０４とほぼ平行な平面として形成されている。前記の配向膜１０３に形成された一定方向の溝は、これらの配向膜１０３の、それぞれの配向膜１０３に面している側、及び保護膜凹部１０６の凹側の面に設けられている。
【００４５】
前記電気光学装置用基板１０は、照明手段側透明電極１７に形成された透明電極凹部１８の凹側に、保護膜凹部１０６の凸側が入り込むように、つまり、保護膜凹部１０６の照明手段側から、透明電極凹部１８が保護膜凹部１０６を囲むように重ねられて形成されている。また、保護膜凹部１０６が無い部分の照明手段側透明電極１７は、照明手段側配向膜１０５に沿って形成されている。このように、照明手段側透明電極１７が照明手段側配向膜１０５の外側に形成されることによって、当該電気光学装置用基板１０は液晶表示パネル１００に備えられている。
【００４６】
図４は、実施の形態１の電気光学装置用基板の製造工程のフロー図である。当該電気光学装置用基板１０の製造工程の一例を説明する。まず、照明手段側基板１１の素材となる素ガラスに、アクリル樹脂を塗布して散乱層１２を形成する。その後、後に反射膜１３となるアルミニウムをスパッタリング装置（図示省略）によって散乱層１２の上にスパッタし、アルミ薄膜を成膜する（ステップＳＴ１）。このアルミ薄膜の上に、スピン式塗布装置やローラ式塗布装置などのレジスト塗布装置（図示省略）によって、透明なネガ型レジスト材を塗布する。このネガ型レジスト材は、紫外線などを照射することにより、重合または架橋して現像液に対して不溶性、又は難溶性となる感光性の性質を持つ。このレジスト材の上に、アルミ薄膜を残したい部分が透明となったフォトマスク、つまり、反射膜１３の形状にパターンニングされたフォトマスクを重ね、フォトマスクの上からレジスト材に向けて紫外線などを露光する。すると、反射膜１３の形状にパターンニングされたフォトマスクに合わせて、レジスト材の反射膜１３の形状の部分のみが、前記のように不溶性等に変質される。このレジスト材を現像液によって現像して変質した部分だけを残し、それ以外の部分は除去する。これにより、レジスト材は、反射膜１３の形状の部分だけが残り、その形状で形成されることになる。
【００４７】
アルミ薄膜のうち、反射膜１３として不要の部分はエッチングによって除去する。このエッチングは、エッチング液によって処理するウェットエッチングや、減圧下でのガス放電により反応させてガス状にして処理するドライエッチング等があるが、いずれの方法で行ってもよい。このエッチングによってアルミ薄膜の不要な部分は除去され、反射膜１３が形成される。さらに、レジスト材も同様の形状で反射膜１３上に有しているが、この透明なレジスト材を絶縁膜１４として使用するため、絶縁膜１４も同時に形成される（ステップＳＴ２）。
【００４８】
カラーフィルタ１６は、着色材として用いる顔料をレジスト材に分散させた、着色樹脂を使用する。この着色樹脂は、カラーフィルタ１６の各色、即ち、赤、青、緑の三色がある。また、この着色樹脂は前記の絶縁膜１４と同様に、紫外線などを感光すると、現像液に対して不溶性等となる性質を有する。この着色樹脂を各色ごとに形成していくが、その一色分の工程を説明する。まず、前記の着色樹脂を前記の状態の上から、つまり、絶縁膜１４及び散乱層１２の上から塗布する。その後、その色のパターンに合わせてパターンニングされたフォトマスクを使用して、フォトマスクを介して着色樹脂を露光する。これにより、フォトマスクのパターンに合わせて、感光した部分の着色樹脂が、現像液に対して不溶性等の性質に変質するので、これを現像液で現像すると、感光した部分以外は除去され、所定のパターンのカラーフィルタ１６を形成できる（ステップＳＴ３）。これらの作業を一色のカラーフィルタ１６の工程とし、これを三色分繰り返すことによって、三色のカラーフィルタ１６を形成することができる。また、その際に各色用のフォトマスクとも、遮光層１５の形状に合わせたパターンをフォトマスクに形成することにより、遮光層１５の部分にはカラーフィルタ１６の三色が重なることになり、三色が重なっているので、光を通さない遮光部１５を形成できる。
【００４９】
保護膜１９は、前記のように透明なアクリル樹脂等の保護膜レジストで形成されている。また、この保護膜レジストも前記着色樹脂等と同様に、紫外線などの感光より、現像液に対して不溶性等となる性質を有する。この保護膜レジストをカラーフィルタ１６上に塗布する。その後、保護膜１９のパターンに合わせて、つまり、透明電極凹部１８の部分を除いて保護膜１９がカラーフィルタ１６上に形成するように、保護膜１９用のフォトマスクをパターンニングする。このフォトマスクを介して紫外線等を露光することにより、保護膜レジストは、保護膜１９のパターンで前記のように変質する。この保護膜レジストを現像液で現像すると、保護膜レジストの不要な部分が除去され、保護膜１９が形成される（ステップＳＴ４）。また、その際に透明電極凹部１８が、前記のようにテーパー部１８ｃを形成できるように、その部分の保護膜１９を、テーパー部１８ｃを形成出来る形状に形成する。
【００５０】
照明手段側透明電極１７の形成は、まず、ＩＴＯを保護膜１９上、及びカラーフィルタ１６上に、スパッタによって成膜する（ステップＳＴ５）。このＩＴＯ薄膜上に、レジスト塗布装置（図示省略）によってレジストを塗布する。このレジスト材も、前述のように、紫外線等で感光することにより、現像液に対して不溶性等となる性質を有する。この状態で、照明手段側透明電極１７の形状にパターンニングされたフォトマスクを介して、紫外線等を露光することにより、レジストは照明手段側透明電極１７のパターンの部分が、前記のように変質する。このレジストを現像液で現像すると、レジストの不要な部分が残る。つまり、レジストは照明手段側透明電極１７の形状で残りこととなる。これを、前記反射膜１３のエッチングのように、ウエットエッチングやドライエッチングなどの方法でエッチングすることにより、ＩＴＯ薄膜のうち、レジストが形成されていない部分が除去される。さらに、レジスト剥離液によってレジストを剥離すると、ＩＴＯ薄膜だけが残り、照明手段側透明電極１７が形成される（ステップＳＴ６）。
【００５１】
これらの工程により、電気光学装置用基板１０は製造される。なお、各レジスト材の材料やその塗布方法、現像方法、レジストの剥離方法、さらに、エッチング方法は上記以外の方法でも構わない。また、カラーフィルタ１６は、顔料でレジストを着色した着色樹脂を使用し、着色材料を直接現像しているが、その他の材料、方法でも構わない。また、遮光層１５は、三色のカラーフィルタ１６を重ねることによって形成しているが、黒く着色した樹脂や、金属など光を遮蔽できる材料ならば、その他の材料を使用しても構わない。最終的に実施の形態１の電気光学装置用基板１０を製造できる方法ならば、いずれの方法で製造してもよい。さらに、この電気光学装置用基板１０の照明手段側透明電極１７に照明手段側配向膜１０５を重ねて形成し、当該照明手段側配向膜１０５と隙間を形成するように表示面側配向膜１０４を設けて液晶層１０７を形成する。さらに表示面側配向膜１０４から順に表示面１１２方向に、表示面側透明電極１０２、表示面側基板１０１、表示面側位相差板１１０及び表示面側偏光板１０８を形成することにより、当該電気光学装置用基板１０は、液晶表示パネル１００に備えられることとなる。
【００５２】
この実施の形態１に係る電気光学装置用基板１０は、透明電極凹部１８の底部１８ｂを、透過表示部２０よりも広く形成している。また、接続部１８ｅが反射表示部に位置している、つまり、接続部１８ｅが反射１３と重なる位置となって形成している。これらの状態で、照明手段側透明電極１７、カラーフィルタ１６、絶縁膜１４及び反射膜１３は重ねて形成している。従って、透明電極凹部１８のテーパー部１８ｃは透過表示部２０上に無いため、バックライト２５で照射し、透過表示部２０を通過した光は、いずれのものに遮られることもなく、液晶層１０７を透過できる。また、このテーパー部１８ｃは、外部から液晶層１０７内に入った光を再び液晶層１０７に反射する反射面１３ａ上にある。これら結果、この電気光学装置用基板１０は、バックライト２５で照射した光による液晶表示の視認を重視した液晶表示パネル１００に適合させることができる。
【００５３】
さらに、カラーフィルタ１６は、絶縁膜１４上に形成されたカラーフィルタ１６の方が、散乱層１２上に形成されたカラーフィルタ１６に対して、液晶層１０７側に高くなった段差を付けて形成されている。つまり、反射表示部２１のカラーフィルタ１６の方が、透過表示部２０のカラーフィルタ１６に対して液晶層１０７側に高く形成している。従来の電気光学装置用基板に反射膜上透明な物質からなる絶縁膜１４を形成した場合には、その形成に起因してカラーフィルタの厚さが薄くなり、反射表示部２１の光の着色が薄くなることがある。しかし、このように、カラーフィルタ１６の反射表示部２１の部分を透過表示部２０に対して液晶層１０７側に高く形成することにより、厚さを補い、従来の反射表示部２１と同等の厚さを確保できる。この結果、透過表示部２０と反射表示部２１とで着色ムラの無い、良好な表示を得られる液晶表示パネル１００を形成できる電気光学装置用基板１０とすることができる。また、散乱面１２ａの凹凸及び反射面１３ａの凹凸は、光を散乱させることにより、表示面１１２の表示を広角度で認識でき、見易い液晶表示パネル１００にすることができる。さらに、透明電極凹部１８を形成する角部１８ｄは全て鈍角であるため、断線を防止し、液晶表示パネル１００を確実に作動させることができる。
【００５４】
また、この実施の形態１に係る電気光学装置用基板１０は、透明電極凹部１８の底部１８ｂのうちの接続部１８ｅ近傍と反射膜１３との間には、カラーフィルタ１６のみでなく、カラーフィルタ１６と反射膜１３との間に絶縁膜１４が形成されている。これにより、カラーフィルタ１６の形成時に、接続部１８ｅ近傍の底部１８ｂと反射膜１３との間のカラーフィルタ１６にピンホール１６ａ等が生じ、カラーフィルタ１６の形成後に形成する照明手段側透明電極１７がそのピンホール１６ａに侵入しても、カラーフィルタ１６と反射膜１３との間にある絶縁膜１４でその侵入は止まる。これにより、照明手段側透明電極１７と反射膜１３とが接触することは無くなる。この結果、液晶層１０７を制御するために照明手段側透明電極１７に電流を流しても、照明手段側透明電極１７と反射膜１３とは導通せず、その電流が反射膜１３にリークすることが無くなるので、表示面１１２に横線が入る線欠陥などの、表示面１１２の表示不良を防止できる。
【００５５】
なお、透明電極凹部１８以外の部分の照明手段側透明電極１７と反射膜１３との間にあるカラーフィルタ１６に、ピンホール１６ａが生じた場合は、この部分の照明手段側透明電極１７とカラーフィルタ１６との間にある保護膜１９により、照明手段側透明電極１７と反射膜１３との接触を防止出来る。また、透過表示部２０のカラーフィルタ１６にピンホール１６ａが生じた場合は、透過表示部２０には反射膜１３が無いので、照明手段側透明電極１７と反射膜１３とが接触することは無い。これらにより、カラーフィルタ１６のどの部分にピンホール１６ａが生じても、照明手段側透明電極１７の電流のリークによる表示面１１２の表示不良を防止できる。また、絶縁膜１４の材料として、反射膜１３形成時の透明なネガ型レジスト材を使用しているため、反射膜１３をこのネガ型レジスト材によって形成後、ネガ型レジスト材を剥離せず、これをそのまま絶縁膜１４として使用している。これにより、絶縁膜１４の形成のための新たな工程を設ける必要がなく、さらに、ネガ型レジスト材を剥離しないので、その分の工程を従来の工程から減らすことができる。この結果、工程を減らした分、製造コストを抑えることができ、さらに、工程が減った分、電気光学装置用基板１０を容易に製作できる。
【００５６】
（実施の形態２）
図５は、実施の形態２に係る電気光学装置用基板の構造を示す一部断面図である。図６は、図５の電気光学装置用基板の製造工程のフロー図である。この電気光学装置用基板３０は、実施の形態１に係る電気光学装置用基板１０と略同様の構成であるが、絶縁層膜３１が、カラーフィルタ１６と、反射膜１３及び散乱層１２との間の全体に形成している点に特徴がある。他の構成は実施の形態１と同様なのでその説明を省略するとともに同一の符号を付す。実施の形態２の電気光学装置用基板３０は、反射膜１３及び散乱層１２の液晶層１０７側全面に、絶縁膜３１が形成している。つまり、カラーフィルタ１６の照明手段側全体に絶縁膜３１が形成している。これにより、実施の形態２の電気光学装置用基板３０の透過表示部３２は、反射膜透過部１３ｂが形成されている部分に上下方向に積層された、基板部、絶縁膜３１、カラーフィルタ１６及び照明手段側透明電極１７とから形成している。また、反射表示部３３は、反射膜１３が形成されている部分に上下方向に積層された、基板部、反射膜１３、絶縁膜３１、遮光層１５、カラーフィルタ１６、保護膜１９及び照明手段側透明電極１７とから形成している。
【００５７】
この実施の形態２の電気光学装置用基板３０の製造工程は、実施の形態１の電気光学装置用基板１０とほぼ同様であるが、反射膜１３及び絶縁膜３１の形成が、実施の形態１と異なっている。反射膜１３の形成は従来のようにアルミ薄膜をエッチングした後、レジストを剥離して形成する（ステップＳＴ２）。また、絶縁膜３１の形成は、反射膜透過部１３ｂが形成されている部分の散乱層１２及び反射膜１３の、液晶層側１０７全面に実施の形態１の絶縁膜１４形成用のレジスト材と同等のレジスト材を塗布する。その後、外縁の不要な部分のみを除去できるフォトマスクを介して紫外線などを露光し、現像液で現像することによって形成できる（ステップＳＴ３）。このため、絶縁膜３１用のフォトマスクに、細かなパターンニングを行う必要がない。この結果、絶縁膜３１用のフォトマスクにパターンニングを施す作業が省け、その分のコストを抑えることができる。
【００５８】
（実施の形態３）
図７は、実施の形態３に係る電気光学装置用基板の構造を示す一部断面図である。図８は、図７の電気光学装置用基板の製造工程のフロー図である。この電気光学装置用基板４０は、実施の形態１に係る電気光学装置用基板１０と略同様の構成であるが、絶縁層膜４１が、カラーフィルタ１６の照明手段側透明電極側１７の全体に形成している点に特徴がある。他の構成は実施の形態１と同様なのでその説明を省略するとともに同一の符号を付す。実施の形態３の電気光学装置用基板４０は、カラーフィルタ１６の照明手段側透明電極側１７の全体に絶縁膜４１が形成されている。つまり、透明電極凹部１８及び保護膜１９の、照明手段側全体に絶縁膜４１が形成されている。これにより、実施の形態３の電気光学装置用基板４０の透過表示部４２は、反射膜透過部１３ｂが形成されている部分に上下方向に積層された、基板部、カラーフィルタ１６、絶縁膜４１及び照明手段側透明電極１７とから形成している。また、反射表示部４３は、反射膜１３が形成されている部分に上下方向に積層された、基板部、反射膜１３、遮光層１５、カラーフィルタ１６、絶縁膜４１、保護膜１９及び照明手段側透明電極１７とから形成している。
【００５９】
この実施の形態３の電気光学装置用基板４０の製造工程は、実施の形態１の電気光学装置用基板１０とほぼ同様だが、反射膜１３及び絶縁膜４１の形成が、実施の形態１と異なっている。反射膜１３の形成は従来のようにアルミ薄膜をエッチングした後、レジストを剥離して形成する（ステップＳＴ２）。また、絶縁膜４１の形成は、カラーフィルタ１６の照明手段側透明電極１７側全面に実施の形態１の絶縁膜１４形成用のレジスト材と同等のレジスト材を塗布する。その後、外縁の不要な部分のみを除去できるフォトマスクを介して紫外線などを露光し、現像液で現像することによって形成できる（ステップＳＴ４）。このため、絶縁膜４１用のフォトマスクに、細かなパターンニングを行う必要がない。この結果、絶縁膜４１用のフォトマスクにパターンニングを施す作業が省け、その分のコストを抑えることができる。なお、この絶縁膜４１と保護膜１９は同じ材料を使用するので、絶縁膜４１をカラーフィルタ１６全体に形成後、フォトマスクを使用して、実施の形態１のように保護膜１９を形成する。
【００６０】
（変形例）
図９は、実施の形態１の電気光学装置用基板の変形例の製造工程のフロー図である。実施の形態１の電気光学装置用基板１０の絶縁膜１４は、透明なネガ型レジスト材を使用しているが、これを酸化シリコン膜（ＳｉＯ２）等の透明な無機膜によって形成してもよい。酸化シリコン膜を使用する場合には、反射膜１３はアルミ膜層をエッチングした後に、レジスト材を剥離する（ステップＳＴ２）。その後、酸化シリコンを反射膜１３、散乱膜１２の上にスパッタし、酸化シリコン膜を成膜する（ステップＳＴ３）。この酸化シリコン膜の上に、上記のレジスト材と同様、紫外線などを当てると変質する感光性のレジスト材を塗布する。さらにその上から、反射膜１３と同じ形状にパターンニングされたフォトマスクを介して、紫外線などを露光する。これにより、レジスト材の感光した部分のみが変質する。これを現像液で現像すると、感光していない部分、つまり、反射膜１３の形状以外のレジスト材が除去され、レジスト材が反射膜１３の形状で残る。その後、レジスト材が形成されていない部分の酸化シリコン膜を、エッチングによって除去する。さらにその後、レジスト材を剥離液によって剥離すると、酸化シリコンからなる絶縁膜５１を、反射膜１３上に反射膜１３とほぼ同じ形状で形成できる（ステップＳＴ４）。なお、その厚さは、酸化シリコン膜であれば１０００Å程度が好ましい。
【００６１】
また、酸化シリコンからなる絶縁膜５１は、実施の形態１の電気光学装置用基板１０だけでなく、実施の形態２の電気光学装置用基板３０の絶縁膜３１、又は実施の形態３の電気光学装置用基板４０の絶縁膜４１を酸化シリコンで形成してもよい。この場合は、実施の形態１の変形例と同様に酸化シリコンを、反射膜透過部１３ｂが形成されている部分の散乱層１２及び反射膜１３の、液晶層側１０７全面にスパッタする。または、カラーフィルタ１６の照明手段側透明電極１７側全面にスパッタする。これらの上から、感光性のレジスト材を塗布し、その後、外縁の不要な部分を除去できる形状のフォトマスクを介して、紫外線などを露光する。さらにその後、現像液で現像すると、反射膜透過部１３ｂ、散乱層１２及び反射膜１３形状、または、カラーフィルタ１６の形状以外の部分のレジスト材が除去される。これにより、レジスト材からはみ出した部分の酸化シリコン膜を、エッチングによって除去し、残ったレジスト材を剥離液によって剥離すると、酸化シリコンからなる絶縁膜５１が、反射膜１３及び散乱層１２、または、カラーフィルタ１６の全面に形成される。これらの結果、絶縁膜の材料に感光性のあるレジスト材を使用しなくても、それ以外の透明な無機膜等の所定の材料を使用することにより、上記の方法で照明手段側透明電極１７と反射膜１３の導通を防止する絶縁膜５１を形成できる。
【００６２】
（本発明の適用対象）
本発明に係る電気光学装置用基板及び電気光学装置が適用できる電子機器としては、携帯電話機の他に、例えば、ＰＤＡ（Ｐｅｒｓｏｎａｌ  Ｄｉｇｉｔａｌ  Ａｓｓｉｓｔａｎｔｓ）と呼ばれる携帯型情報機器や携帯型パーソナルコンピュータ、パーソナルコンピュータ、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、ＰＯＳ端末機等、電気光学装置を用いる機器が挙げられる。従って、これらの電子機器における電気的接続構造であっても、本発明が適用可能であることはいうまでもない。
【００６３】
また、この電気光学装置は、透過型又は反射型の電気光学装置であり、照明装置をバックライトとして用いる。なお、アクティブマトリックス型のカラー電気光学装置であっても同様である。また、パッシブマトリクス型の電気光学装置のみならず、アクティブマトリクス型の電気光学装置（例えば、ＴＦＴ（薄膜トランジスタ）やＴＦＤ（薄膜ダイオード）をスイッチング素子として備えた電気光学装置）にも同様に本発明を適用することができる。
【図面の簡単な説明】
【図１】実施の形態１に係る電気光学装置用基板を備える液晶表示パネルの断面図。
【図２】実施の形態１に係る電気光学装置用基板の断面図（Ａ部詳細図）。
【図３】実施の形態１に係るカラーフィルタにピンホールが生じた図。
【図４】実施の形態１に係る電気光学装置用基板の製造工程のフロー図。
【図５】実施の形態２に係る電気光学装置用基板の断面図。
【図６】実施の形態２に係る電気光学装置用基板の製造工程のフロー図。
【図７】実施の形態３に係る電気光学装置用基板の断面図。
【図８】実施の形態３に係る電気光学装置用基板の製造工程のフロー図。
【図９】実施の形態１の変形例の製造工程のフロー図。
【図１０】従来の電気光学装置用基板の一例を示す断面図。
【符号の説明】
１０  電気光学装置用基板、１１  照明手段側基板、１２  散乱層、１３  反射膜、１４  絶縁膜、１５  遮光層、１６  カラーフィルタ、１６ａ  ピンホール、１７  照明手段側透明電極、１８  透明電極凹部、１８ａ  開口部、１８ｂ  底部、１８ｃ  テーパー部、１８ｄ  角部、１８ｅ  接続部、１９  保護膜、２０  透過表示部、２１  反射表示部、２５  バックライト、１００  液晶表示パネル、１０３  配向膜、１０５  照明手段側配向膜、１０６  保護膜凹部、１１２  表示面
【図１】
2004354950.tif 000003
【図２】
2004354950.tif 000004
【図３】
2004354950.tif 000005
【図４】
2004354950.tif 000006
【図５】
2004354950.tif 000007
【図６】
2004354950.tif 000008
【図７】
2004354950.tif 000009
【図８】
2004354950.tif 000010
【図９】
2004354950.tif 000011
【図１０】
2004354950.tif 000012